(57)【要約】【課題】複数の表示装置を並設する場合、外装部材の側面に放熱用の空間を確保して空気の流路を形成し、効率良く放熱すること。【解決手段】表示装置１は、ＬＣＤ２とエッジライト型バックライト３からなるパネルモジュール４を備える。熱源であるＬＥＤ５、６はパネルモジュール４の左右端部に配置され、放熱用のヒートシンク８，９がそれぞれ設けられている。また外装部材の左右側面には通風孔を有する蓋が着脱可能に取り付けられている。複数の表示装置を並設する場合、蓋を取り外して接合部材３６乃至４０で装置同士を連結することにより、向かい合う側面内壁部２８、２９の間で上下方向に延びる空洞部が形成される。ヒートシンク８、９のフィン１２、１３を側面内壁部２８、２９から空洞部に露出させることで、空気に伝熱する風路４３が形成され、光源から発生する熱が装置外部に排出される。【選択図】  図４
2012208285.tif 000002
【特許請求の範囲】
【請求項１】
光源を含む表示部の端に放熱手段を備えた表示装置であって、
外装部材の側面に着脱可能に取り付けられ、通風孔を有する蓋部材と、
前記放熱手段から空気に放熱するための凹空間を形成する側面内壁部と、
複数の前記表示装置を連結するための接合部材を備え、
複数の前記表示装置を並設する場合、前記蓋部材を取り外して前記接合部材により複数の前記表示装置を連結し、前記凹空間を繋げて形成される空洞部に露出した前記放熱手段から空気に伝熱する流路を形成したことを特徴とする表示装置。
【請求項２】
前記表示部を構成する液晶表示装置の表示面に沿う方向における端部に前記光源又はその駆動回路部が配置され、前記放熱手段によって前記空洞部に放熱されることを特徴とする請求項１記載の表示装置。
【請求項３】
前記放熱手段は前記光源又はその駆動回路部と接続されたヒートシンクであって、該ヒートシンクのフィン又は側面部が前記側面内壁部から前記空洞部に露出していることを特徴とする請求項２記載の表示装置。
【請求項４】
前記ヒートシンクは筐体側面の上下方向に沿って配置されていることを特徴とする請求項３記載の表示装置。
【請求項５】
複数の前記表示装置が並設された状態にて当該表示装置を側面で回動可能に連結する前記接合部材と、
筐体側面にて回動可能に設けられた側面外装部材を備え、
前記側面外装部材は前記側面内壁部とともに前記空洞部を形成することを特徴とする請求項１記載の表示装置。
【請求項６】
光源を含む表示部の端に設けた放熱手段と、外装部材の側面に着脱可能に取り付けられ、通風孔を有する蓋部材と、前記放熱手段から空気に放熱するための凹空間を形成する側面内壁部と、複数の表示装置を連結するための接合部材を備えた表示装置の放熱方法であって、
複数の前記表示装置を並設する場合、前記蓋部材を取り外して前記接合部材により複数の前記表示装置を連結し、
複数の前記表示装置の側面内壁部による前記凹空間を繋げて空洞部を形成し、
前記空洞部に前記放熱手段を露出させて空気に伝熱する流路を形成することを特徴とする表示装置の放熱方法。
【発明の詳細な説明】
【技術分野】
【０００１】
本発明は、表示パネルとバックライト装置を用いた表示装置の放熱構造および方法に関するものである。
【背景技術】
【０００２】
薄型化が進む表示装置では、ＬＣＤ（液晶表示装置）とバックライト装置からなるパネルモジュールを使用する形態が主流となっている。ＬＣＤの背面に光源を配置した直下型と呼ばれる方式に加えて、近年では、ＬＣＤの表示エリアの端部に光源を配置した、エッジライト型と呼ばれる方式の装置が増えている。
図８は、従来の表示装置１０１の構成例を示す。図８（Ａ）は全体の外観を示す背面斜視図であり、その一部を拡大して図示する。また図８（Ｂ）は、ＬＣＤ１０２とエッジライト型バックライト１０３からなるパネルモジュール１０４を用いた表示装置１０１の内部構造を示す概略断面図である。パネルモジュール１０４の両端部に配したＬＥＤ（発光ダイオード）１０５と１０６からの出射光は導光板１０７を通ることで表示面側（図８（Ｂ）の下方）に向きを変え、ＬＣＤ１０２を透過する。この方式では熱源であるＬＥＤ１０５、１０６がパネルモジュール１０４の端部に集中している。ＬＥＤ１０５、１０６には基板１１０、１１１を介してヒートシンク１０８、１０９が装着されており、ヒートシンク１０８、１０９からフィン１１２、１１３が延設される。外装部材１１４の下部には吸気孔１１５が設けられ、上部には排気孔１１６が設けられ、外装部材１１４の左右両側面にも通風孔１１７、１１８が設けられる。吸気孔１１５から吸入した空気はヒートシンク１０８、１０９のフィン１１２、１１３を冷却した後、通風孔１１７、１１８から排出される。本構成では、外装部材１１４の側面に放熱用の空間が必要である。特許文献１には、排気孔が設けられた外装部材の周囲外側を別の外装部材が取り囲み、排気孔の周囲に放熱用の隙間を形成する技術が開示されている。
【先行技術文献】
【特許文献】
【０００３】
【特許文献１】特開２００６−１０６２７２号公報
【発明の概要】
【発明が解決しようとする課題】
【０００４】
外装側面に放熱用の空間が必要な表示装置を複数台並べて使用する、いわゆるマルチディスプレイ仕立ての場合、放熱対策に課題が生じる。表示装置を並べて設置すると装置同士の外装側面の通風孔が向かい合わせとなるため、放熱用の空間が無くなり、空気の流れが妨げられてしまう。また、上記特許文献１では放熱用の空間は確保されるが、排気孔の周囲外側が別の外装部材で取り囲まれるため、放熱効率の点で改良の余地がある。
本発明の目的は、複数の表示装置を並設する場合、外装部材の側面に放熱用の空間を確保して空気の流路を形成し、効率良く放熱することである。
【課題を解決するための手段】
【０００５】
上記課題を解決するために本発明に係る装置は、光源を含む表示部の端に放熱手段を備えた表示装置であって、外装部材の側面に着脱可能に取り付けられ、通風孔を有する蓋部材と、前記放熱手段から空気に放熱するための凹空間を形成する側面内壁部と、複数の前記表示装置を連結するための接合部材を備え、複数の前記表示装置を並設する場合、前記蓋部材を取り外して前記接合部材により複数の前記表示装置を連結し、前記凹空間を繋げて形成される空洞部に露出した前記放熱手段から空気に伝熱する流路を形成した構成を有する。
【発明の効果】
【０００６】
本発明によれば、複数の表示装置を並設する場合、外装部材の側面に放熱用の空間を確保して空気の流路を形成することで、効率良く放熱することができる。
【図面の簡単な説明】
【０００７】
【図１】図２乃至５と併せて本発明の第１実施形態を説明するために、表示装置の外観例を示す斜視図である。
【図２】表示装置の内部構造例を概略的に示す横断面図である。
【図３】表示装置の内部構造例を示す概略断面図であり、前方から見た場合の断面図である。
【図４】複数の表示装置を並設した状態での内部構造例を示す概略断面図であり、上方から見た場合の断面図である。
【図５】複数表示装置を並設した状態での内部構造例を示す概略断面図であり、前方から見た場合の断面図である。
【図６】本発明の第２実施形態に係る表示装置の内部構造例を示す概略断面図であり、上方から見た場合の断面図である。
【図７】本発明の第３実施形態を説明するために、複数の表示装置を並設した状態での内部構造例を示す概略断面図である。
【図８】従来の表示装置の構成例を示す図である。
【発明を実施するための形態】
【０００８】
以下、添付図面に基づいて本発明の各実施形態に係る表示装置を説明する。
【０００９】
[第１実施形態]
図１は表示装置１を正面から見た場合の斜視図である。表示装置１は外装部材であるベゼル１６とリアカバー１７を備え、筐体の底面に吸気孔が形成され、天面に排気孔が形成されており、左右側面には通風孔を有する蓋部材が取り付けられる。図１（Ａ）は筐体側面に蓋１４、１５が取り付けられた状態を示す。また図１（Ｂ）は装置筐体から蓋１４、１５を外した状態を示しており、これらの蓋１４、１５には複数の通風孔２６、２７が表示装置１の前後方向に延びる長孔としてそれぞれ形成されている。
【００１０】
図２および３は、表示装置１の内部構造例を示す概略断面図である。図２は上方から見た場合の横断面図であり、図３は前方から見た場合の断面図である。
表示装置１の表示部は、ＬＣＤ（液晶表示装置）２とエッジライト型バックライト３からなるパネルモジュール４を備える。パネルモジュール４の左右方向の両端部にはＬＥＤ光源が配置されており、それらの出射光は導光板７を通った後、表示面側（図２の下方）に向きを変え、ＬＣＤ２を透過する。エッジライト型バックライト３は、熱源であるＬＥＤ５、６がパネルモジュール４の左右方向における端部に集中して配置されている。ＬＥＤ５、６には、放熱手段としてヒートシンク８、９が基板１０、１１をそれぞれ介して装着されている。ヒートシンク８、９にはフィン１２、１３がそれぞれ延設されており、空気への伝熱によって放熱が行われる。
蓋１４、１５は装置筐体の左右側面にて着脱可能な状態でそれぞれ取り付けられ、これらは同一形状である。蓋１４、１５は長方形の板状をなし、その両端部が屈曲されてコ字状をしたプラスチック部材であり、装置筐体の左右両側面を覆う外装部材である。蓋１４、１５の各端部には２個ずつの突起１８、１９が一体に形成されている。ベゼル１６とリアカバー１７は、後で詳述する凹空間２０、２１を形成しており、各々に４個ずつの受座２２、２３が設けられている。これらの受座２２、２３には孔２４、２５がそれぞれ形成されている。
【００１１】
表示装置１を単独で使用する場合、蓋１４、１５は筐体側面に装着した状態で使用される。蓋１４、１５にそれぞれ形成した突起１８、１９を受座２２、２３の孔２４、２５にそれぞれ嵌合することで、蓋１４、１５はベゼル１６とリアカバー１７に取り付けられる。蓋１４、１５には通風孔２６、２７がそれぞれ形成されている。つまり、表示装置１の側面内壁部２８、２９からは、ヒートシンク８、９のフィン１２、１３がそれぞれ露出しており、その放出する熱が空気に伝わって外部に排出される。その詳細は後述する。
【００１２】
次に、ベゼル１６とリアカバー１７により内側に窪んだ凹部として形成される凹空間２０、２１について説明する。ベゼル１６とリアカバー１７は凹空間２０、２１の側壁を形成しており、その奥の内底面部は側面内壁部２８、２９をそれぞれ構成する。本実施形態では、側面内壁部２８、２９がベゼル１６と一体に形成されているが、これをリアカバー１７と一体に形成しても何ら差し支えない。またベゼル１６或いはリアカバー１７とは別の部品として側面内壁部２８、２９を構成しても構わない。凹空間２０はベゼル１６の壁３０と、リアカバー１７の壁３２と、側面内壁部２８によって上下方向に亘って形成される。同様に、凹空間２１はベゼル１６の壁３１と、リアカバー１７の壁３３と、側面内壁部２９によって、上下方向に亘って形成される。ヒートシンク８、９のフィン１２、１３は、側面内壁部２８、２９に形成した開口３４、３５から突出し、凹空間２０、２１にそれぞれ露出した状態で配置される。
【００１３】
図４および５は、並設した表示装置１および３６の内部構造を概略的に示す断面図である。図４は上方から見た場合の断面図であり、図５は前方から見た場合の断面図である。
表示装置１、３６を並設するマルチディスプレイ仕立ての場合、ユーザは先ず、向かい合う両側面の蓋１４、１５を取り外す。そして、ユーザは複数の接合部材を用いて表示装置１と３６を結合する。詳細には、ユーザは４個の接合部材３７乃至４０を使用して、表示装置１と３６を側面で結合する作業を行う。接合部材３７乃至４０は全て同一形状であることから、代表して接合部材３９を説明する。接合部材３９はその両端部４１、４２が鉤型に曲がっている。ユーザは、両端部４１、４２を受座２２、２３の孔２４、２５にそれぞれ嵌合する。つまり、接合部材３９は受座２２、２３が設けられた側面部を結合することにより、表示装置１および３６を隣接した状態で結合する。こうして凹空間２０、２１が１つに繋がって放熱用の空洞部、つまり空気の流路が形成される。なお本例ではＬＥＤ光源部から発生する熱をヒートシンクのフィンから放熱する構成を説明したが、光源の駆動回路部の熱を該回路部に接続したヒートシンクのフィンから放熱する構成でもよい。
【００１４】
第１実施形態では、複数の表示装置１、３６を並設して使用する場合、外装部材の両側面に凹空間２０、２１がそれぞれ形成され、これらを繋げることで放熱用の空洞部が確保される。バックライト装置の光源から発生する熱はヒートシンク８、９に伝わり、側面内壁部２８、２９から凹空間２０、２１に露出したフィン１２、１３から放熱される。これにより暖められた空気は、繋がった凹空間２０、２１を通って外部に排出される。つまり、凹空間２０、２１は、表示装置１および３６の側面部を接合部材３７乃至４０によって密着して結合することで形成されるので、筐体側面にて上下方向に貫通する空洞部（以下、風路という）４３が形成され、両装置で共用される。上下に開放された風路４３の内面を形成する側面内壁部２８、２９には、ヒートシンク８、９のフィン１２、１３を上下方向に配置して、均一な熱分布を得る構造とすることができる。よって、熱流体力学的な煙突効果が得られ、効率の良い放熱構造を実現できる。
【００１５】
[第２実施形態]
次に本発明の第２実施形態を説明する。
図６は、第２実施形態に係る複数の表示装置１、３６を並設した状態で内部構造を上方から示す概略断面図である。装置の基本的な構造は第１実施形態の場合と同様であるため、以下では相違点を説明する。なお第２実施形態及び後述の第３実施形態にて第１実施形態の場合と同様の構成要素については既に使用した符号と同一の符号を用いることによって、それらの詳細な説明を省略する。
ＬＥＤ５、６には、放熱用のヒートシンク８、９が基板１０、１１およびバックライト筐体４４、４５を介してそれぞれ装着されている。ヒートシンク８、９の側面部４６、４７は、側面内壁部２８、２９に形成した開口４８、４９から外側へ向けて突出し、凹空間２０、２１にそれぞれ露出している。すなわち、第２実施形態では、ヒートシンク８、９の側面部４６、４７が凹空間２０、２１をそれぞれ構成する部分となっている。ヒートシンク８、９の放熱によって暖められた空気は、凹空間２０、２１により形成される風路４３を通して外部に排出される。
【００１６】
第２実施形態によれば、複数の表示装置１、３６を並設して使用する場合、外装部材の両側面の凹空間２０、２１を繋げた空洞部として風路４３が形成される。側面内壁部２８、２９に形成した開口４８、４９からヒートシンク８、９が風路４３にそれぞれ露出し、それらの側面部４６、４７から放熱が行われる。こうして煙突効果により効率の良い放熱が可能となる。
【００１７】
[第３実施形態]
次に本発明の第３実施形態を説明する。
図７は、第３実施形態に係る表示装置１および３６を並設した状態で内部構造を示す概略断面図であり、両図とも上方から見た断面図である。図７（Ａ）は、並設した両表示装置の表示面を同一平面に揃えた状態を示し、図７（Ｂ）は、並設した両表示装置の表示面に角度を付与した状態を示す。
【００１８】
本実施形態では、ベゼル１６と４８を結合する２個の接合部材３８、３９が使用され、これらの接合部材で連結された部分は、表示装置１と３６の表示面に角度を付与する支軸の役割を担う。すなわち、接合部材３８、３９を用いてそれぞれ連結されて互いに当接したベゼル１６と４８の側縁部を中心として、ユーザは表示装置１と３６の各表示面の間に成す角度を調節することができる。
リアカバー１７、４９の側には接合部材は取り付けられておらず、代わりに一方の表示装置３６はサイドカバー５０を有する。サイドカバー５０はリアカバー４９の一部を分割して構成した側面外装部材であり、軸５２を中心に回動可能な状態で取り付けられ、コイルバネ５１によって図の時計回り方向に付勢されている。接合部材３８と３９を使って表示装置１と３６を結合した状態で、それらの表示面に角度を付与して設置する場合、サイドカバー５０は軸５２を中心に回動し、その先端部５３が他方の表示装置１のリアカバー１７に当接する。
【００１９】
第３実施形態では、表示装置３６のサイドカバー５０がコイルバネ５１により表示装置１のリアカバー１７に付勢される。これにより、凹空間２０と２１は隙間無く風路４３を形成する。よって、並設された表示装置１および３６の表示面に角度を付与した状態でも、煙突効果により効率良く放熱できる。なお、表示装置１および３６は同型の装置であって、サイドカバー５０は左右側面のうちのどちらか一方に設ければよい。あるいはサイドカバー５０を左右両側面に設ける場合には、両表示装置の表示面により大きな角度を付与することができる。
上記の例では風路４３を通る空気の対流を利用した放熱構造を説明したが、ファンなどの送風手段を設けて強制空気冷却を行う構成を採用するなど、各種形態での実施が可能である。
【符号の説明】
【００２０】
１  表示装置
２  ＬＣＤ
３  エッジライト型バックライト
８，９  ヒートシンク
１２，１３  フィン
１４，１５  蓋
１６  ベゼル
１７  リアカバー
２０，２１  凹空間
２６，２７  通風孔
２８，２９  側面内壁部
３６  表示装置
３７，３８，３９，４０  接合部材
４６，４７  ヒートシンク側面部
４８  ベゼル
４９  リアカバー
５０  サイドカバー
【図１】
2012208285.tif 000003
【図２】
2012208285.tif 000004
【図３】
2012208285.tif 000005
【図４】
2012208285.tif 000006
【図５】
2012208285.tif 000007
【図６】
2012208285.tif 000008
【図７】
2012208285.tif 000009
【図８】
2012208285.tif 000010